(57)【要約】【課題】手摺の支持具が上下方向（手摺が縦方向へ設置される場合は左右方向）と共に前後方向をも調節可能であると共に、その二つの調節を同時に行えるようにでき、更に間柱や横桟の存在に制約を受けることなく、手摺の設置位置に応じて支持具を配置できる構成とする。【解決手段】取付面固定部材４と、取付面固定部材４に基端部が回動可能に軸着１１、１２された２本の取付面側リンク５、６と、手摺取付部材７を先端部に有する手摺支持リンク８から形成する。第１の取付面側リンク５の先端部を手摺支持リンク８の基端部に回動可能に軸着１５する。第２の取付面側リンク６の先端部を手摺支持リンク８の先端部にスライド可能に締着用ネジ及びナット１４で固定する。【選択図】図１
2004308228.tif 000002
【特許請求の範囲】
【請求項１】
取付面固定部材と、この取付面固定部材の上下位置に基端部が角度自在に軸着された二本のリンクと、手摺取付部材を先端に有する手摺支持リンクから成り、各リンクの先端部は互いに交わることなく手摺支持リンクの基端部又は先端部に角度自在に軸着されると共に、少なくとも一の軸着部が任意角度に固定可能と成っていることを特徴とする手摺の支持具。
【請求項２】
一方又は両方のリンクの先端部が手摺支持リンクの長さ方向に伸びた長溝孔にスライド可能に固定される請求項１記載の手摺支持具。
【請求項３】
一方又は両方のリンクの長さ方向に伸びた長溝孔にスライド可能に手摺支持リンクの基端部又は先端部が固定される請求項１記載の手摺の支持具。
【請求項４】
二本のリンク及び手摺支持リンクに各々長さ方向に長溝孔を有すると共に、二本のリンクの長溝孔と手摺支持リンクの長溝孔の任意な各交差部で固定可能と成っている請求項１記載の手摺の支持具。
【請求項５】
一方又は両方のリンクが二部材で構成され、任意角度に固定可能に軸着される請求項１記載の手摺の支持具。
【請求項６】
一方又は両方のリンクが二部材で構成され、任意角度に固定可能に軸着される請求項２記載の手摺の支持具。
【発明の詳細な説明】
【０００１】
【発明の属する技術分野】
本発明は、主に家屋内に設置する各種手摺の設置場所を位置決めして支持する手摺の支持具に関するものである。
【０００２】
【従来の技術】
各種手摺の設置する場所を調節可能に位置決めする支持具又は支持装置としては、例えば特開２００１ー３１７１７３、特開２００１ー２７０２６、特開平６ー２１２７６１及び特開平１０ー４６７７７等が公知と成っている。
【０００３】
そして、これらの４件の公報のうち、１番目から３番目までの公報は手摺の上下位置を調節可能にすることを目的とし、最後の４番目の公報は前後位置の調節を可能とすることを目的としたものである。
【０００４】
【発明が解決しようとする課題】
上記のように、これまでの手摺を支持し位置決めする支持具は、手摺が横方向へ設置される場合に、上下方向又は前後方向への調節は可能であるが、上下及び前後を共に調節することを目的とするものは存在しない。
又、支持具の壁面への固定は、間柱や横桟の存在に制約を受け、手摺の自由な位置決めに支障となっている。
【０００５】
そこで、本発明は手摺の支持具が上下方向（手摺が縦方向へ設置される場合は左右方向）と共に前後方向をも調節可能であると共に、その二つの調節を同時に行えるようにでき、更に間柱や横桟の存在に制約を受けることなく、しかも天井や床への固定も可能とし、手摺の設置位置に応じて支持具を配置できる構成とせんとするものである。
【０００６】
【課題を解決するための手段】
本発明の手摺の支持具の請求項１の発明は、取付面固定部材と、この取付面固定部材の上下位置に基端部が角度自在に軸着された二本のリンクと、手摺取付部材を先端に有する手摺支持リンクから成り、各リンクの先端部は互いに交わることなく手摺支持リンクの基端部又は先端部に角度自在に軸着されると共に、少なくとも一の軸着部が任意角度に固定可能と成っていることを特徴とするものである。
【０００７】
角度自在に二本のリンクの基端部の取付面固定部材が手摺に対して取付面に固定され、リンクの手摺取付部材を手摺に取り付ければ、二本のリンクの基端部と手摺支持リンクと軸着した先端部が各々角度自在であるため、手摺の所望位置に合わせて各々の角度を仮決定できる。
【０００８】
そして、一の軸着部を固定することで、各部材で形成する四角形の一辺（取付面固定部材の上・下軸部間）と一つの角度（軸部）が確定することとなり、四角形は不動の位置決めとなるため、手摺取付部材の位置も確定して手摺を位置決め固定するのである。
又、理論上は一つの軸着部を固定することで、各リンクは固定位置決めできるけれど、実際には軸着部の固定強度の問題があるため、複数箇所の軸着部を固定する方が安全と成ることは言うまでもない。
【０００９】
請求項２の本発明は、一方又は両方のリンクの先端部が手摺支持リンクの長さ方向に伸びた長溝孔にスライド可能に固定されるものであり、又請求項３の発明は、一方又は両方のリンクの長さ方向に伸びた長溝孔にスライド可能に手摺支持リンクの基端部又は先端部が固定されるのである。
一方のリンクと手摺支持リンクとの軸着関係を調節して手摺リンク又はリンクの長さを変えられるため、手摺の位置を広範囲に設定できるものとなる。
請求項２においては、一方のリンクの先端部が手摺支持リンクより前方へ突出しないため、安全性が高い構成となる。
【００１０】
請求項４の発明は、二本のリンク及び手摺支持リンクに各々長さ方向に長溝孔を有すると共に、二本のリンクの長溝孔と手摺支持リンクの長溝孔の任意な各交差部で固定可能と成っているものであり、手摺支持リンクと二つのリンクとの軸着関係が夫々に多様に調整して手摺支持リンクと二つのリンクの長さを選択的にするため、二つの軸着関係の組み合わせで、広範囲かつ微妙な位置決めに対応できるものである。
【００１１】
請求項５の発明は、一方又は両方のリンクが二部材で構成され、任意角度に固定可能に軸着されるものであり、又請求項６の発明は、一方又は両方のリンクが二部材で構成され、任意角度に固定可能に軸着されるものである。
リンクが中間部で角度自在に屈曲して角度を変えることによって、リンクの長さを変えられるため、広範囲な位置決めに対応できるものである。
【００１２】
【発明の実施の形態】
以下、本発明の一実施の形態を図面に基づき説明する。
図１は請求項１の本発明手摺の支持具の一実施の形態を示す側面図である。
図中１は壁面（取付面）２の横方向に所定の間隔をおいて装置した支持具であり、手摺３を設置するためのものである。
支持具１は取付面固定部材４、第１のリンク５及び第２のリンク６、及び手摺取付部材７を先端部に一体に設けた手摺支持リンク８から形成されている。
【００１３】
取付面固定部材４は壁面２に取り付けられる座板４ａと、この座板４ａと直交して形成された取り付け片４ｂから構成され、座板４ａの取付孔に締着部材９を挿通し壁面２に固定する。
そして、取付面固定部材４の取り付け片４ｂの下部側に第１のリンク５の基端部が角度自在とすべくボルト及びナット等で回動可能に軸着１１されると共に、取り付け片４ｂの上部側に第２のリンク６の基端部がボルト及びナット等で角度自在とすべく回動可能に軸着１２されている。
【００１４】
手摺取付部材７は丸棒状の手摺３の円周の一部に合致する形状の弧状面を有し、手摺取付部材７の取付孔に取付用ネジ１３を挿通して手摺３に固定する。
この手摺取付部材７を先端に有する手摺支持リンク８の先端部は第２のリンク６の先端部が締着用ネジ及びナット１４で角度自在にかつ固定可能に軸着１０されている。
又、手摺支持リンク８の基端部は、第１のリンク５の先端部にボルト及びナット等で角度自在とすべく回動可能に軸着１５されている。
【００１５】
したがって、第２のリンク６の先端部の締着用ネジ１４を緩めて、手摺支持リンク８と２本のリンク５、６を角度自在に回動し、上下・前後の任意位置に設定した手摺３に合わせて締着用ネジ１４を締め、各リンクの位置関係を固定することで手摺３を支承することができるものである。
各リンクの位置関係を固定する締着用ネジは、他の軸着１１、１２、１５部であってもよく、更に複数箇所を締着用ネジ及びナットとして固定すれば、確実性及び安全性が向上する。
【００１６】
又、手摺３の設置高さや長手方向の適宜位置に支持具１を固定する横桟や間柱等が存在しない場合でも、取付面固定部材４を横桟のある部位或いは間柱や天井・床等に固定して位置を調節すればよいため、手摺３の設置位置に制約を受けることなく、対応して取付面固定部材４を固定できるのである。
更に、上下方向に設置する手摺３を支承する場合にも、本発明に係る支持具１は有効に利用できるものである。
【００１７】
図２及び図３は、請求項２の発明の一実施の形態を示す側面図、及び一部省略した正面図であり、図１と相当する箇所には同一符号を付してある。
本発明は、手摺支持リンク８は長さ方向に長溝孔８ａを有し、この長溝孔８ａに第２のリンク６の先端部が締着用ネジ及びナット１４でスライド可能に軸着・固定できるようになっている構成が図１の支持具１と相異する。
【００１８】
締着用ネジ及びナット１４が長溝孔８ａ内をスライドして手摺支持リンク８との軸着１０部が変化することで、結果として手摺支持リンク８の長さが変わり、手摺３の位置決定に対応できる範囲が広がるものである。
第２のリンク６に代えて、第１のリンク５の先端部と或いは両方のリンク５、６の先端部と長溝孔８ａを締着用ネジ及びナット１４、１６でスライド可能に軸着・固定するようにしても、同一又は更なる作用・効果を得られるものである。
【００１９】
図４は、請求項３の発明の一実施の形態を示す側面図であり、図１乃至図３と相当する箇所には同一符号を付してある。
本発明は、長溝孔６ａが第２のリンク６の長さ方向に設けられ、この長溝孔６ａに手摺支持リンク８の先端部が締着用ネジ及びナット１４でスライド可能に軸着・固定できるようになっている構成が図１の支持具１と相異する。
【００２０】
よって、前記のように、今度は第２のリンク６の長さが変化することとなって、手摺３の広範囲な位置決めに容易に対応できるものである。
又、図４では、第２のリンク６に長溝孔６ａを形成したけれど、代わりに第１のリンク５に長溝孔、或いは両リンク５、６に長溝孔５ａ、６ａを形成して手摺支持リンク８の端部とスライド可能に軸着・固定しても、同一の或いは更なる作用・効果を得られるものである。
【００２１】
図５は、請求項４の発明の一実施の形態を示す側面図であり、図１乃至図４と相当する箇所には同一符号を付してある。
本発明は、手摺支持リンク８の長さ方向に長溝孔８ａを、第１のリンク５の長さ方向に長溝孔５ａを、第２のリンク６の長さ方向に長溝孔６ａを形成し、手摺支持リンク８の長溝孔８ａと二つのリンク５、６の各長溝孔５ａ、６ａとの交差部に、互いにスライド可能に締着用ネジ及びナット１４、１６で軸着・固定できるようになっている構成が図１の支持具１と相異する。
【００２２】
したがって、各交差部の位置を変化させることによって、各リンク５、６、８の長さが多様に変化することとなり、手摺３の広範囲な位置決めに容易に対応できることとなる。
【００２３】
図６は、請求項５の発明の一実施の形態を示す側面図であり、図１乃至図５と相当する箇所には同一符号を付してある。
本発明は、第２のリンク６が二本の枝リンク６Ａ、６Ｂで構成して、二本の枝リンク６Ａ、６Ｂを角度自在に締着用ネジ及びナット１７で軸着・固定した構成が図１の支持具１と相異する。
【００２４】
第２のリンク６がその枝リンク６Ａ、６Ｂの角度を変えることによって、第２のリンク６の長さが変化することになり、手摺３の広範囲な位置決めに容易に対応できるのである。
又、図６では第２のリンク６を二本の枝リンク６Ａ、６Ｂとしたが、第１のリンク５を二本の枝リンクとし、或いは両リンク５、６共に二本の枝リンクとすれば、同一或いは更なる作用・効果を得られるものである。
【００２５】
図７は、請求項６の発明の一実施の形態を示す側面図であり、図１乃至図６と相当する箇所は同一符号を付してある。
手摺支持リンク８の長さ変化と共に、図２の支持具１と相異する。
【００２６】
第２のリンク６がその枝リンク６Ａ、６Ｂの角度を変えることによって、手摺支持リンク８の長さ変化と共に、第２のリンク６の長さが変化することになり、手摺３の広範囲な位置決めに容易に対応できるのである。
又、図７では第２のリンク６を二本の枝リンク６Ａ、６Ｂとしたが、第１のリンク５を二本の枝リンクとし、或いは両リンク５、６共に二本の枝リンクとすれば、同一或いは更なる作用・効果を得られるものである。
【００２７】
【発明の効果】
以上説明したように、本発明に係る手摺の支持具によれば、手摺の任意の設定位置に応じて、支持具を壁面等に固定して手摺を支承できるものであり、手摺の設置高さと同時に壁面からの前後位置にも自在に応じられる効果を有し、しかも、その二つの調節を同時に行えるものである。
【００２８】
そして、従来支持具の壁面への固定位置は、間柱や横桟の存在に制約を受けるか、特別に固定用桟を増設する必要があったけれど、本発明は既存の間柱や横桟或いは天井面や床面をそのまま利用して、任意の位置に手摺の支承面を対応させれる効果を有するものである。
【図面の簡単な説明】
【図１】請求項１の本発明の一実施の形態を示す側面図である。
【図２】請求項２の本発明の一実施の形態を示す側面図である。
【図３】請求項２の本発明の一実施の形態を示す一部省略した正面図である。
【図４】請求項３の本発明の一実施の形態を示す側面図である。
【図５】請求項４の本発明の一実施の形態を示す側面図である。
【図６】請求項５の本発明の一実施の形態を示す側面図である。
【図７】請求項６の本発明の一実施の形態を示す側面図である。
【符号の説明】
１  支持具
２  壁面
３  手摺
４  取付面固定部材
５  第１のリンク
６  第２のリンク
６Ａ、６Ｂ  枝リンク
５ａ、６ａ、８ａ  リンクの長溝孔
７  手摺取付部材
８  手摺支持リンク
９  締着部材
１０、１１、１２、１５  軸着
１３  取付用ネジ
１４、１６、１７  締着用ネジ及びナット
【図１】
2004308228.tif 000003
【図２】
2004308228.tif 000004
【図３】
2004308228.tif 000005
【図４】
2004308228.tif 000006
【図５】
2004308228.tif 000007
【図６】
2004308228.tif 000008
【図７】
2004308228.tif 000009